(57)【要約】      （修正有）【課題】使用前後でコンパクト化を図ると共に、使用中にあっては十分な耐強度を有するトレーを提供する。【解決手段】四方に隣接して配置されたそれぞれ矩形状の第一〜四の板片５，６，７，８のそれぞれ隣接する端面を嵌着部を介して突き合せる。第一の板片５と第二の板片６との間に第一の突き合せ部９を設け、第一の板片５と第三の板片７との間及び第二の板片６と第四の板片８との間に一直線状の第二の突き合せ部１０を設け、第三の板片７と第四の板片８との間に第三の突合せ部１１を設ける。第一の突き合せ部９と第二の突き合せ部１０との第一の交点１２と、第二の突き合せ部１０と第三の突合せ部１１との第二の交点１３とを離間して設ける（離間長さＭ）。トレー本体２の物品載置面１の中央に食品やコップの荷重が交点に集中しても、第一の交点１２と第二の交点１３とに分散されることで、耐強度を高めることができる。【選択図】図１
0003159416.tif 000002
【実用新案登録請求の範囲】
【請求項１】
一方の一側に第一の板片、一方の他側に第二の板片、他方の一側に第三の板片及び他方の他側に第四の板片を配置すると共に、これら第一〜四の板片のそれぞれ隣接する端面を嵌着部を介して突き合せて、前記第一の板片と前記第二の板片との間に第一の突き合せ部を設け、前記第一の板片と前記第三の板片との間及び前記第二の板片と前記第四の板片との間に第二の突き合せ部を設け、前記第三の板片と前記第四の板片との間に第三の突き合せ部を設けて板状のトレー本体を組み立てる組み立て式トレーであって、前記第一の突き合せ部と前記第二の突き合せ部との第一の交点と、前記第二の突き合せ部と前記第三の突き合せ部との第二の交点とを離間して設けたことを特徴とする組み立て式トレー。
【請求項２】
前記第一〜四の板片は平面が矩形であり、前記トレー本体は平面が矩形であり、前記第二の突き合せ部は一直線状に形成され、前記嵌着部は、隣接する一方の端面に長手方向に沿って形成される溝状の凹部と、隣接する他方の端面に長手方向に沿って形成される凸部であることを特徴とする請求項１記載の組み立て式トレー。
【請求項３】
前記第一の突き合せ部の第一の嵌着用凹凸突き当て方向は、前記第三の突き合せ部の嵌着部の第二の嵌着用凹凸突き当て方向と逆方向に設けられ、前記第一の板片と前記第三の板片との間の第三の嵌着用凹凸突き当て方向は、前記第二の板片と前記第四の板片との間の第四の嵌着用凹凸突き当て方向と逆方向に設けられていることを特徴とする請求項１記載の組み立て式トレー。
【請求項４】
前記トレー本体における対向する端面間に取付部を外嵌着させて取手を設けたことを特徴とする請求項２又は３記載の組み立て式トレー。
【請求項５】
前記第一の突き合せ部に該第一の突き合せ部の長手方向を規制する第一の係止部を設けると共に、前記第三の突き合せ部に該第三の突き合せ部の長手方向を規制する第二の係止部を設けることを特徴とする請求項４記載の組み立て式トレー。
【請求項６】
前記第二の突き合せ部における前記第一の交点と第二の交点との間は、嵌着されていることを特徴とする請求項１〜５のいずれか１項に記載の組み立て式トレー。
【考案の詳細な説明】
【技術分野】
【０００１】
本考案は、上面に物品載置面を形成し食品やコップなどを載置するための複数の板片を組み立てして使用する盆などとも称せられる組み立て式トレーに関するものである。
【背景技術】
【０００２】
従来、この種のものは一枚物の板材によって、皿等の物品載置面を上面に形成したものであった。（例えば、特許文献１）。
【先行技術文献】
【特許文献】
【０００３】
【特許文献１】実用新案登録第３０３５３０４号公報
【考案の概要】
【考案が解決しようとする課題】
【０００４】
例えば屋外での飲食にあって、店頭からテーブルまで食品や飲料を運ぶ際、両手で持ち運ぶには安定性に劣り、食器を落下させたり、食品、飲料をこぼしてしまうおそれがある。このような場合に、従来技術のようなトレーを利用して食品などを物品載置面に載せて運搬すれば食器を落下させるようなことは阻止できる。
【０００５】
しかしながら、従来のトレーは一枚物の板材によって形成されていたので、トレーの使用前の運搬、収納時や、トレーの使用後の運搬、収納時にかさばってしまうという問題があった。
【０００６】
解決しようとする問題点は、上面に物品載置面を形成したトレーにおいて、使用前後でコンパクト化を図ると共に、使用中にあっては十分な耐強度を有することを目的とする。
【課題を解決するための手段】
【０００７】
請求項１の考案は、一方の一側に第一の板片、一方の他側に第二の板片、他方の一側に第三の板片及び他方の他側に第四の板片を配置すると共に、これら第一〜四の板片のそれぞれ隣接する端面を嵌着部を介して突き合せて、前記第一の板片と前記第二の板片との間に第一の突き合せ部を設け、前記第一の板片と前記第三の板片との間及び前記第二の板片と前記第四の板片との間に第二の突き合せ部を設け、前記第三の板片と前記第四の板片との間に第三の突き合せ部を設けて板状のトレー本体を組み立てる組み立て式トレーであって、前記第一の突き合せ部と前記第二の突き合せ部との第一の交点と、前記第二の突き合せ部と前記第三の突き合せ部との第二の交点とを離間して設けたことを特徴とする組み立て式トレーである。
【０００８】
請求項２の考案は、前記第一〜四の板片は平面が矩形であり、前記トレー本体は平面が矩形であり、前記第二の突き合せ部は一直線状に形成され、前記嵌着部は、隣接する一方の端面に長手方向に沿って形成される溝状の凹部と、隣接する他方の端面に長手方向に沿って形成される凸部であることを特徴とする請求項１記載の組み立て式トレーである。
【０００９】
請求項３の考案は、前記第一の突き合せ部の第一の嵌着用凹凸突き当て方向は、前記第三の突き合せ部の嵌着部の第二の嵌着用凹凸突き当て方向と逆方向に設けられ、前記第一の板片と前記第三の板片との間の第三の嵌着用凹凸突き当て方向は、前記第二の板片と前記第四の板片との間の第四の嵌着用凹凸突き当て方向と逆方向に設けられていることを特徴とする請求項１記載の組み立て式トレーである。
【００１０】
請求項４の考案は、前記トレー本体における対向する端面間に取付部を外嵌着させて取手を設けたことを特徴とする請求項２又は３記載の組み立て式トレーである。
【００１１】
請求項５の考案は、前記第一の突き合せ部に該第一の突き合せ部の長手方向を規制する第一の係止部を設けると共に、前記第三の突き合せ部に該第三の突き合せ部の長手方向を規制する第二の係止部を設けることを特徴とする請求項４記載の組み立て式トレーである。
【００１２】
請求項６の考案は、前記第二の突き合せ部における前記第一の交点と第二の交点との間は、嵌着されていることを特徴とする請求項１〜５のいずれか１項に記載の組み立て式トレーである。
【考案の効果】
【００１３】
請求項１の考案によれば、組み立て式なので携帯などが容易であり、さらに組み立て時に食品やコップなどを載せたときに、その荷重が交点に集中しても。第一の交点と第二の交点とに分散されることで、耐強度を高めることができる。
【００１４】
請求項２の考案によれば、嵌着を凹部と凸部により両者を確実に連結することができる。
【００１５】
請求項３の考案によれば、突き当て方向を逆にすることで、突き合せ部においてねじれなどに対する強度を高めることができる。
【００１６】
請求項４の考案によれば、取手の取り付けにより第一〜四の板片を一体的に連結でき、さらに取手を握って安定良くトレー本体を持ち運びすることができる。
【００１７】
請求項５の考案によれば、第一の突き合せ部、第三の突き合せ部において前後方向のずれを阻止することができる。
【００１８】
請求項６の考案によれば、第一の交点と第二の交点との離間長さの箇所においても、連結強度を確保することができる。
【図面の簡単な説明】
【００１９】
【図１】本考案の第１実施例を示す全体斜視図である。
【図２】同分解斜視図である。
【図３】本考案の第２実施例を示す全体斜視図である。
【考案を実施するための最良の形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２１】
図１及び図２は実施例１を示しており、図に示すようにトレーは、上面を物品載置面１とした平面矩形で平板状のトレー本体２の左右に第一の取手３、第二の取手４が設けられている。そして、トレー本体２は前後左右の四方、すなわち一方の一側である前左側、一方の他側である前右側、他方の一側である後左側及び他方の他側である後右側に配置されそれぞれ平面矩形をなした第一の板片５、第二の板片６、第三の板片７及び第四の板片８のそれぞれ隣接する端面を突き合せて一体化したもので、第一の板片５の右端面５Ｒと第二の板片６の左端面６Ｌとの間に第一の突き合せ部９が形成され、第一の板片５の後端面５Ｂと第三の板片７の前端面７Ｆとの間及び第二の板片６の後端面６Ｂと第四の板片８の前端面８Ｆとの間に一直線状の第二の突き合せ部10が設けられ、さらに第三の板片７の右端面７Ｒと第四の板片８の左端面８Ｌとの間に第三の突合せ部11を設けており、第一の突き合せ部９と第二の突き合せ部10との第一の交点12と、第二の突き合せ部10と第三の突合せ部11との第二の交点13とは、いずれも第二の突き合せ部10の長手方向上にあるものの、相互に離間している（離した長さＭ）。すなわち、第一の交点12は第一の板片５の左端面５Ｌ側に寄っており、一方第二の交点13は第二の板片６の右端面６Ｒ側に寄っている。尚、第一の突き合せ部９、第二の突き合せ部10、第三の突合せ部11は、後述のように一方の端面に長手方向に形成した溝状の凹部が設けられ、突き合せられる他方の端面には凹部に嵌着する凸部が設けられて、これら凹部、凸部により凹凸嵌着がなされるようになっている。
【００２２】
そして、第一の取手３は第一の板片５と第三の板片７との間に介在するもので、その下部側に第一の板片５の前端面５Ｆと第三の板片７の後端面７Ｂとの間を外嵌する第一の取付部14が左右を貫通する孔により設けられていると共に、上部に第一の握り部15が設けられている。同様に第二の取手４は、下部に第二の板片６の前端面６Ｆと第四の板片８の後端面８Ｂとの間を外嵌する第二の取付部16が設けられていると共に、上部に第二の握り部17が設けられている。
【００２３】
第一の板片５、第二の板片６、第三の板片７及び第四の板片８は、総て前後幅Ｓはほぼ同じ長さであり、一方第一の板片５と第四の板片８の第一の横幅Ｔはほぼ同じ長さであり、第二の板片６と第三の板片７の第二の横幅Ｕはほぼ同じ長さであり、第一の横幅Ｔより第二の横幅Ｕは長く形成されている（Ｔ＜Ｕ）。
【００２４】
図２に示すように第一の板片５は、その右端面５Ｒに開口して溝状の第一の凹部18が長手方向に一直線状に設けられており、この第一の凹部18は第一の板片５の前端面５Ｆの手前まで設けられたものであって、その端部は段状となって第一の係止受け部19が設けられている。また、第一の板片５は、その後端面５Ｂに開口して第二の凹部20が長手方向に一直線状に設けられている。
【００２５】
第二の板片６は、その左端面６Ｌに突出して第一の凸部21が長手方向に一直線状に設けられており、この第一の凸部21は第二の板片６の前端面６Ｆの手前まで設けられたものであって、その端部は段状となって第一の係止受け部19に係止する第一の係止部22が設けられている。また、第二の板片６は、その後端面６Ｂに開口する第三の凹部23と後端面６Ｂより突設する第二の凸部24が長手方向に一直線状に設けられている。離間長さＭに対応する第三の凹部23は第二の板片６の後端面６Ｂにおける左端面６Ｌ側に第二の凸部24に比較して短く配置され、この第三の凹部23の右側に第二の凸部24が設けられている。
【００２６】
第三の板片７は、その前端面７Ｆに突出して第三の凸部25が長手方向に沿って一直線状に設けられており、第三の凸部25は第二の凹部20及び第二の板片６に至って第三の凹部23に嵌着できるようになっている。また、第三の板片７の右端面７Ｒに突設して第四の凸部26が設けられると共に、この第四の凸部26は第三の板片７の後端面７Ｂ側近くまで設けられてその端部を段状に形成して第二の係止部27を設けている。
【００２７】
第四の板片８は、その左端面８Ｌに開口して第四の凹部28が設けられると共に、この第四の凹部28はその端部を第四の板片８の後端面８Ｂ側近くまで設けられ段状に形成して第二の係止受け部29を設けている。また、第四の板片８の前端面８Ｆに開口して第五の凹部30が長手方向に沿って一直線状に設けられている。
【００２８】
尚、前記凹部、凸部に関して実施例の凹部に代えて凸部を、凸部に代えて凹部を設けるようにしてもよい。また、実施例では係止受け部を溝端部で形成し、係止部を凸部の端部で形成したが、係止受け部を凸部の端部で形成し係止部を溝端部で形成してもよい。
【００２９】
次に前記構成についてその作用を説明する。携帯時においては、第一の板片５、第二の板片６、第三の板片７、第四の板片８及び第一の取手３、第二の取手４を分解状態にして携帯する。
【００３０】
組み立てするときは、第一の係止受け部19に第一の係止部22を係止させるようにして第一の凹部18に第一の凸部21を左方向の第一の嵌着用凹凸突き当て方向Ｗに沿って挿入し第一の突き合せ部９を形成して両者を嵌着する。また第二の係止受け部29に第二の係止部27を係止させるようにして第四の凹部28に第四の凸部26を右方向の第二の嵌着用凹凸突き当て方向Ｘに沿って挿入して第三の突合せ部11を形成して両者を嵌着する。次に第三の凸部25を第二の凹部20に前方向の第三の嵌着用凹凸突き当て方向Ｙに沿って第三の凹部23に挿入して第三の板片７を第一の板片５に嵌着すると共に、第二の凸部24を第五の凹部30に後方向の第四の嵌着用凹凸突き当て方向Ｚに沿って挿入することで第二の突き合せ部10を形成して両者を嵌着する。
【００３１】
また、第一の板片５の前端面５Ｆの上方及び第三の板片７の後端面７Ｂの上方のそれぞれ左端面５Ｌの内側、右端面７Ｒの内側に、第一の取付部14のための第三の係止部31を突設して、第一の取付部14の外嵌時にそれ以上内側に移動できないようになっている。同様に、第二の板片６の前端面６Ｆの上方及び第四の板片８の後端面８Ｂの上方に、第二の取付部16のための第四の係止部32を設ける。そして、左右一対の第三の係止部31間、第四の係止部32間に食品やコップ落下防止用の第一の立ち上がり壁33、第二の立ち上がり壁34が設けられている。
【００３２】
次に、第一の取付部14を第一の板片５の前端面５Ｆと第三の板片７の後端面７Ｂとの間に外嵌させて第一の取手３を取り付ける。同様に、第二の取付部16を第二の板片６の前端面６Ｆと第四の板片８の後端面８Ｂとの間に外嵌させて第二の取手４を取り付ける。
【００３３】
このように組み合わせた状態で物品載置面１の中央寄りに食品や飲料を収容したコップ（いずれも図示せず）を載置すると、これら食品やコップの重量は物品載置面１の中央に集中して負荷されるようになるが、第一の突き合せ部９と第二の突き合せ部10との第一の交点12と、第二の突き合せ部10と第三の突合せ部11との第二の交点13とは、いずれも第二の突き合せ部10の長手方向上にあるものの、相互に離間しているので、仮に交点が１箇所のみであったときには荷重の集中によって、凹凸嵌着によって組み立てられているトレー本体２が分解してしまうおそれが高まるが、実施例のように離間して複数の第一の交点12、第二の交点13を設けることで、第一の交点12、第二の交点13に加わる荷重の分散を図ることができ、トレー本体２の組み立て強度を高めることができる。
【００３４】
尚、使用後においては組み立て時とは逆に、トレー本体２より第一の取手３、第二の取手４を除去し、さらに第一の板片５、第二の板片６、第三の板片７、第四の板片８を切り離して分解するものである。
【００３５】
以上のように、前記実施例では請求項１に対応して、四方に隣接して配置されたそれぞれ矩形状の第一〜四の板片５，６，７，８のそれぞれ隣接する端面５Ｂ，５Ｒ，６Ｌ，６Ｂ，７Ｆ，７Ｒ，８Ｌ，８Ｆを嵌着部を介して突き合せて、第一の板片５と第二の板片６との間に第一の突き合せ部９を設け、第一の板片５と第三の板片７との間及び第二の板片６と第四の板片８との間に第二の突き合せ部10を設け、第三の板片７と第四の板片８との間に第三の突合せ部11を設けて板状のトレー本体２を組み立てる組み立て式トレーであって、第一の突き合せ部９と第二の突き合せ部10との第一の交点12と、第二の突き合せ部10と第三の突合せ部11との第二の交点13とを離間して設け、交点を２箇所としたことで、トレー本体２は組み立て式なので携帯などが容易であり、さらに組み立て時に、トレー本体２の物品載置面１の中央に食品やコップなどを載置しても、その荷重が交点に集中しても、第一の交点12と第二の交点13とに分散されることで、耐強度を高めることができる。
【００３６】
また、前記実施例では請求項２に対応して、第一の板片５、第二の板片６、第三の板片７及び第四の板片８のそれぞれ平面が矩形であると共に、トレー本体２も平面が矩形であり、さらに第二の突き合せ部10は一直線状に形成され、そして例えば第一の突き合せ部９における嵌着部は、第一の板片５の右端面５Ｒに開口して第一の凹部18が長手方向に一直線状に設けられ、第二の板片６はその左端面６Ｌに突出して第一の凸部21が長手方向に一直線状に設けられ、これら第一の凹部18と第一の凸部21の嵌着により両者を確実に連結することができる。
【００３７】
さらに、前記実施例では請求項３に対応して、第一の突き合せ部９では、第二の板片６の左端面６Ｌに第一の凸部21を設けて左方向に挿入する第一の嵌着用凹凸突き当て方向Ｗとなり、第三の突き合せ部11では、第三の板片７の右端面７Ｒに第四の凸部26を設けて右後方に挿入する第二の嵌着用凹凸突き当て方向Ｘとなり、第一の嵌着用凹凸突き当て方向Ｗと第二の嵌着用凹凸突き当て方向Ｘとは逆方向となって、第一の突き合せ部９、第三の突き合せ部11においてねじれなどに対する強度を高めている。同様に、第一の板片５と第三の板片７との間では、第三の第三の凸部25を前方へ挿入する第三の嵌着用凹凸突き当て方向Ｙとなり、第二の板片６と第四の板片８との間では第二の凸部24を後方に挿入する第四の嵌着用凹凸突き当て方向Ｚとなり、第三の嵌着用凹凸突き当て方向Ｙと第四の嵌着用凹凸突き当て方向Ｚとは逆方向となって、第二の突き合せ部10においてねじれなどに対する強度を高めている。
【００３８】
また、前記実施例では請求項４に対応して、トレー本体２における対向する端面５Ｆ，７Ｂ、６Ｆ，８Ｂ間に第一の取付部14、第二の取付部16を外嵌させて第一の取手３、第二の取手４を設けたことで、第一の板片５、第二の板片６、第三の板片７及び第四の板片８を一体的に連結でき、さらに第一の握り部15、第二の握り部17を握って安定良くトレー本体２を持ち運びすることができる。
【００３９】
しかも、前記実施例では請求項５に対応して、第一の突き合せ部９に該第一の突き合せ部９の長手方向を規制する第一の係止部22を設けると共に、第三の突き合せ部11に該第三の突き合せ部11の長手方向を規制する第二の係止部27を設けることで、第一の突き合せ部９、第三の突き合せ部11において前後方向のずれを阻止することができる。
【００４０】
さらに、第二の突き合せ部10における第一の交点12と第二の交点13との間においても、第三の凹部23、第三の凸部25により嵌着されていることで、離した長さＭの箇所においても連結強度を確保することができる。
【実施例２】
【００４１】
図３を参照して実施例２を説明する。尚、実施例１と同一部分には同一符号を付し、その詳細な説明を省略する。実施例２においては、物品載置面１´を設けたトレー本体１´は、一方の一側である左前側、一方の他側である左後側、他方の一側である右前側及び他方の他側である右後側に配置されそれぞれ平面矩形をなした第一の板片５´、第二の板片６´、第三の板片７´及び第四の板片８´のそれぞれ隣接する端面を突き合せて一体化したもので、第一の板片５´と第二の板片６との間に第一の突き合せ部９´が形成され、第一の板片５´と第三の板片７´との間及び第二の板片６´と第四の板片８´との間に一直線状の第二の突き合せ部10´が設けられ、さらに第三の板片７´と第四の板片８´との間に第三の突合せ部11´を設けており、第一の突き合せ部９´と第二の突き合せ部10´との第一の交点12´と、第二の突き合せ部10´と第三の突合せ部11´との第二の交点13´とは、いずれも第二の突き合せ部10´の長手方向上にあるものの、相互に離間している（離した長さＭ´）。
【００４２】
以上のように、第一の交点12´と第二の交点13´とを第二の突き合せ部10´の長手方向において離間することで、物品載置面１´の中央に食品やコップなどを載置しても、その荷重が１箇所の交点に集中せず、第一の交点12´と第二の交点13´とに分散されることで、耐強度を高めることができる。
【産業上の利用可能性】
【００４３】
以上のように本考案にかかるトレーは、各種の用途に適用できる。
【符号の説明】
【００４４】
２  トレー本体
３  ４  取手
５  第一の板片
６  第二の板片
７  第三の板片
８  第四の板片
５Ｂ  ５Ｆ  ６Ｌ  ６Ｂ  ７Ｆ  ７Ｒ  ８Ｌ  ８Ｆ  端面
９  第一の突き合せ部
10  第二の突き合せ部
11  第三の突合せ部
12  第一の交点
13  第二の交点
14  16  取付部
18  第一の凹部
21  第一の凸部
22  第一の係止部
23  第三の凹部
25  第三の凸部
27  第二の係止部
Ｍ  離間長さ
Ｗ  第一の嵌着用凹凸突き当て方向
Ｘ  第二の嵌着用凹凸突き当て方向
Ｙ  第三の嵌着用凹凸突き当て方向
Ｚ  第四の嵌着用凹凸突き当て方向
【図１】
0003159416.tif 000003
【図２】
0003159416.tif 000004
【図３】
0003159416.tif 000005